(57)【特許請求の範囲】
【請求項１】
ワイヤなどを介して吊下されるユニットボックスに、ガラス瓶などの割れ物の資源ゴミを掻き挟むための一対の半割りバケットを開閉自在に軸支したグラブバケットにおいて、上記半割バケットを、ユニットボックスに回動可能に軸支されるフレーム部材と、フレーム部材に固定され側面を形成する側板と、側板間に設けられ底を形成する板状のシェルと、シェル後端位置で側板を連結する後端板とで形成すると共に上部を開口して形成し、ユニットボックスに、一対の半割りバケットのフレーム部材を軸支する連結軸同士を十分離して配置し、上記一対の半割バケットを閉じたとき、その半割バケット同士のシェルを、その先端から後端にかけて徐々に上向きに上がる形状に形成すると共に、その先端の開閉軌跡の曲線が上記連結軸の垂線位置から閉じる方向に上向きに上がるように形成し、かつ、先端から後端側のシェルが開位置から閉位置にかけて先端の開閉軌跡に対して上方に位置するように形成し、さらに一対の半割バケットを開いたとき先端部が鉛直になるように、かつ、閉じたときのシェルの後端部が開いた位置の先端部近傍に位置するようにシェルを形成し、該シェルの先端に複数の爪を設けたことを特徴とするグラブバケット。
【請求項２】
上記後端板は、シェルの後端に後方に回動自在に設けられ、資源ゴミを取り込みすぎたときに資源ゴミの崩落を防ぎつつ資源ゴミを後方に逃がすようにされた請求項１に記載のグラブバケット。
【発明の詳細な説明】
【０００１】
【発明の属する技術分野】
本発明は、ガラス瓶など割れ物の資源ごみをすくい上げるグラブバケットに関するものである。
【０００２】
【従来の技術】
図６に示すように、ガラス瓶などの資源ごみを掻き挟むグラブバケット３０は通常の可燃ごみ等を掻き挟むものと同様のものが用いられている。
【０００３】
具体的には、グラブバケット３０は、ワイヤなどを介して吊下されるユニットボックス３に、資源ごみを掻き挟むための一対の半割りバケット３１，３１を開閉自在に吊り下げて形成されており、半割りバケット３１，３１を開いて資源ごみ上に載置し、再び半割りバケット３１，３１を閉じることにより半割りバケット３１，３１内に資源ごみを掻き挟むようになっている。
【０００４】
【発明が解決しようとする課題】
ところで、グラブバケット３０は、図７に示すように、資源ごみ３２を掻き集めながら取り込むため、多くのガラス瓶など資源ごみ３２を挟んで割ってしまい、のちのリサイクル工程を大変なものとしてしまうという課題がある。
【０００５】
すなわち、ガラス瓶は色別に再生用途が異なるためリサイクル工程中で色別に分別する必要があるが、コスト上の理由などから分別作業は人手で行っており、ガラス瓶が割れると分別個数が増え、かつ、破片が危険であり、大変な作業となってしまう。そして実作業において、グラブバケットを用いた移送によって全資源ごみの２５パーセント程度が割れてしまっている。
【０００６】
そこで、本発明の目的は、上記課題を解決し、ガラス瓶などの資源ごみを割らずに取り込むことのできるグラブバケットを提供することにある。
【０００７】
【課題を解決するための手段】
上記目的を達成するために本発明は、ワイヤなどを介して吊下されるユニットボックスに、ガラス瓶などの割れ物の資源ゴミを掻き挟むための一対の半割りバケットを開閉自在に軸支したグラブバケットにおいて、上記半割バケットを、ユニットボックスに回動可能に軸支されるフレーム部材と、フレーム部材に固定され側面を形成する側板と、側板間に設けられ底を形成する板状のシェルと、シェル後端位置で側板を連結する後端板とで形成すると共に上部を開口して形成し、ユニットボックスに、一対の半割りバケットのフレーム部材を軸支する連結軸同士を十分離して配置し、上記一対の半割バケットを閉じたとき、その半割バケット同士のシェルを、その先端から後端にかけて徐々に上向きに上がる形状に形成すると共に、その先端の開閉軌跡の曲線が上記連結軸の垂線位置から閉じる方向に上向きに上がるように形成し、かつ、先端から後端側のシェルが開位置から閉位置にかけて先端の開閉軌跡に対して上方に位置するように形成し、さらに一対の半割バケットを開いたとき先端部が鉛直になるように、かつ、閉じたときのシェルの後端部が開いた位置の先端部近傍に位置するようにシェルを形成し、該シェルの先端に複数の爪を設けたものである。
【０００８】
また、上記後端板は、シェルの後端に後方に回動自在に設けられ、資源ゴミを取り込みすぎたときに資源ゴミの崩落を防ぎつつ資源ゴミを後方に逃がすようにされるとよい。
【０００９】
【発明の実施の形態】
本発明の好適実施の形態を添付図面に基づいて詳述する。
【００１０】
図１及び図２に示すように、グラブバケット１は、ワイヤ２などを介して吊下されるユニットボックス３と、ユニットボックス３に連結軸４を介して開閉自在に吊り下げられガラス瓶など割れ物の資源ごみをすくい上げるための一対の半割りバケット５，５とからなる。
【００１１】
ユニットボックス３は、半割りバケット５を開閉駆動するための油圧シリンダ６を有する。
【００１２】
油圧シリンダ６は、シリンダ７側の先端をユニットボックス本体８に回動自在に連結されると共に、ピストン９側の先端を半割りバケット５に回動自在に連結されている。
【００１３】
具体的には、油圧シリンダ６のピストン９側の先端は、一方の半割りバケット５に回動自在に連結されると共に、他方の半割りバケット５にリンク１０を介して連結されている。そして、グラブバケット１は、油圧シリンダ６のピストン９を縮退させることにより双方の半割りバケット５，５を同時に後端側へ９０°近くまで回動させて開成し、ピストン９を伸長させることにより双方の半割りバケット５，５を同時に先端１９側へ回動させて閉成するようになっている。
【００１４】
半割りバケット５は、それぞれ先端１９を対向させて閉成されるようになっており、互いに閉じたとき上部が開口し、その開口面積が最大となるように半割りバケット５，５の後端を上方へ開いて形成されている。
【００１５】
具体的には半割りバケット５は、ユニットボックス３に一端を連結軸４を介して回動可能に枢支される左右並行なフレーム部材１１，１１と、フレーム部材１１，１１にそれぞれ固定され半割りバケット５の側面を形成する側板１２，１２と、側板１２，１２間に設けられ半割りバケット５の底を形成する板状のシェル１３とからなる。
【００１６】
側板１２は、半割りバケット５，５閉成時に先端１９同士を突き合わせて側面を閉じるように形成されている。
【００１７】
図１及び図３に示すように、シェル１３は、先端（半割りバケット５の先端１９と同じ）１９から後端２８にかけて半割りバケット５先端１９の開閉軌跡１４に沿う滑らかな曲面に形成されており、段や折れ目のない滑らかなシェル１３上にガラス瓶などの資源ごみ３２を滑らせるようになっている。
【００１８】
また、シェル１３は、半割りバケット５，５閉成時にシェル１３後端２８をバケット開成時のシェル１３の先端１９位置近傍に位置させるように形成されており、開成した半割りバケット５，５を資源ごみ３２上に載置して閉成することにより、シェル１３回動軌跡（半割りバケット５先端１９の開閉軌跡１４と同じ）１４の軸心側に位置される資源ごみ１７をそのまま半割りバケット５，５内に掬うようになっている。
【００１９】
シェル１３の後端２８には、半割りバケット５閉成時にほぼ垂直に起立する後端板１５が一体に設けられており、グラブバケット１移動時に振動などで荷が崩れ落ちないようになっている。
【００２０】
そして、図１及び図２に示すように、シェル１３の外周面には先端１９近傍から後端２８へ延びる一対並行なパイプ状のガイド１６，１６が設けられており、資源ごみ３２を掬う際にシェル１３を滑らかに資源ごみ３２内で滑らせるようになっている。
【００２１】
次に作用を述べる。
【００２２】
資源ごみ３２を掬う場合、まず油圧シリンダ６を縮退させて半割りバケット５，５を開成状態にし、積まれた資源ごみ３２上に載置する。つぎに油圧シリンダ６をゆっくり伸長させて半割りバケット５，５を閉じる。
【００２３】
このときシェル１３は、パイプ状のガイド１６，１６で滑りながらシェル１３先端から円滑に資源ごみ３２を破損することなく資源ごみ３２内に入り込む。シェル１３先端１９の後側は、シェル１３先端１９の回動軌跡１４をなぞるように続いて資源ごみ３２内に入り込み、図７に示す従来のグラブバケット２７のように資源ごみ３２を掻き寄せるようなことはない。
【００２４】
このため、取り込む資源ごみ１８に衝撃や大きな圧縮力がかかるのを防ぐことができ、資源ごみ１８の破損を防ぐことができる。
【００２５】
そして、半割りバケット５，５が完全に閉じると、図３に示すようにシェル１３先端１９の回動軌跡１４の軸心側の資源ごみ１７は、そのまま掬われるようにグラブバケット１内に収まる。
【００２６】
このとき、グラブバケット１中の資源ごみ１８は表層を半割りバケット５の後端板１５に接触させるかどうかの高さｈ1 に収まるため、図７に示す従来のグラブバケット２７の場合のように後端板３３，３３を越える高さｈ2 まで上がることはなく、後端板１５，１５同士の間に押し挟まれることはなく、資源ごみ１８の破損を防ぐことができる。
【００２７】
この後、グラブバケット１を上昇させると共に所定の位置まで移動させ、再びグラブバケット１を降下させ、油圧シリンダ６を縮退させて半割りバケット５，５を開いてグラブバケット１中の資源ごみ１８を放出する。
【００２８】
グラブバケット１移動中、半割りバケット５が振れたりしてグラブバケット１中の資源ごみ１８が多少動くこともあるが、両側を側板１２に覆われ、後端側には後端板１５があるため資源ごみ１８が移動中にグラブバケット１から落下することはなく、目的地まで安全に移送することができる。
【００２９】
なお、後端板１５は、シェル１３の後端に半割りバケット５閉成時にほぼ垂直に起立するように一体に設けたが、これに限るものではなく、半割りバケット５，５閉成時に内側の面を上向きに傾斜するように一体に設けてもよい。
【００３０】
またさらに、図４及び図５に示すように、シェル２０の後端に蝶番２１を介して後方へ回動自在に後端板２２を設けるものとしてもよい。
【００３１】
この場合、後端板２２の両側に側板１２に沿う扇状のガイド板２３を設け、後端板２２回動後に後端板２２と側板１２との間から資源ごみ１８が漏れ落ちないようにする。そして、側板１２とガイド板２３との間にガイド板２３の移動範囲を規制して後端板２２の回動範囲を規制する回動規制手段２４を設け、ガイド板２３の半割りバケット５先端１９側に後端板２２を先端１９側へ戻すためのウェイト２９を設ける。
【００３２】
回動規制手段２４は、ガイド板２３に形成され後端板２２の回動中心と同心円弧状のガイド穴２５と、側板１２に一体に取り付けられガイド穴２５内に突出するガイドピン２６とで構成する。
【００３３】
このようにすることにより、万一、資源ごみ３２の積み上げ状態などによってグラブバケット２７内に過大な容積の資源ごみが取り込まれたとしても、後端板２２は資源ごみ１８が当たることによって後方へ回動して開き、グラブバケット２７閉成時に資源ごみ１８に圧縮方向の力がかかるのを防ぐことができ、資源ごみ１８の破損を防ぐことができる。
【００３４】
【発明の効果】
以上要するに本発明によれば、次のような優れた効果を奏する。
【００３５】
（１）ガラス瓶などの資源ごみを割らずに取り込むことができる。
【図面の簡単な説明】
【図１】本発明の好適実施の形態を示すグラブバケットの側面図である。
【図２】図１の背面図である。
【図３】グラブバケット先端の開閉軌跡と資源ごみの掻き取り状態を示すグラブバケットの動作説明図である。
【図４】他の実施の形態を示すグラブバケットの要部拡大斜視図である。
【図５】図４の側面図である。
【図６】従来のグラブバケットの側面図である。
【図７】従来のグラブバケット先端の開閉軌跡と資源ごみの掻き取り状態を示す動作説明図である。
【符号の説明】
１  グラブバケット
２  ワイヤ
３  ユニットボックス
５  半割りバケット
１３  シェル
１４  開閉軌跡
１９  先端
３２  資源ごみ
【図１】
0003774585.tif 000002
【図２】
0003774585.tif 000003
【図３】
0003774585.tif 000004
【図４】
0003774585.tif 000005
【図５】
0003774585.tif 000006
【図６】
0003774585.tif 000007
【図７】
0003774585.tif 000008